(57)【要約】【課題】特別な計測施設を必要とすることなく、クレーンによりコンテナをトラックに搭載した段階でコンテナ重心位置を把握することができる方法および装置を提供すること。【解決手段】  コンテナクレーンにより吊具を介してトラックに積載されるコンテナの重心計測システムである。コンテナ高さ方向の重心位置の計測を、コンテナクレーン上に設置のカメラを用いて、吊具上に設置のターゲットマーカーを撮影するようにしている。クレーン状態モニタ装置、演算制御コントローラ、吊荷計測装置（荷重計）を設け、クレーンによりコンテナをトラックに積み込む際（着床時）には、自然に重心回りにトラック横揺れ(ターゲットマークの動揺)挙動が生じることを利用して、このときにクレーン上のカメラにより、コンテナ着床時のトラックの横揺れ挙動（ターゲットマークの動揺）を示す画像を取得し、得られた画像データを基に、制御コントローラを用いてコンテナ重心高さを推定演算し、これを出力するようにした。【選択図】図１
2014174021.tif 000002
【特許請求の範囲】
【請求項１】
コンテナクレーンにより吊具を介してトラックに積載されるコンテナの重心計測システムであって、
前記コンテナクレーン上に設置されたカメラと、
吊具に装着されたターゲットマークと、
演算制御コントローラと、を備え、
前記演算制御コントローラは、前記コンテナのトラック着床時のカメラによるターゲットマークの挙動を撮影した撮像画像の入力部と、入力した撮像画像から演算した前記ターゲットマークの振動に基づいてコンテナ高さ方向の重心寸法を算出する演算部を備えている、
ことを特徴とするトラック積載コンテナの重心計測システム。
【請求項２】
前記演算制御コントローラは、予め吊具とコンテナとトラックを含む振動体の振動周波数とコンテナ重心高さとの関係を求めたコンテナ挙動データベースを備え、
前記演算部は撮像画像から得られた振動周波数との照合処理によりコンテナ重心高さを演算することを特徴とする請求項１に記載のトラック積載コンテナの重心計測システム。
【請求項３】
前記コンテナがトラックに着床したことを検出するクレーン状態モニタ装置を備え、
前記演算制御コントローラは、前記クレーン状態モニタ装置によるトラック着床信号を入力し、これをトリガー信号として前記ターゲットマークの挙動計測を開始させるようにしてなることを特徴とする請求項１に記載のトラック積載コンテナの重心計測システム。
【請求項４】
前記吊具に設けられたコンテナ吊り金物の軸重を計測する荷重計を備え、
前記演算制御コントローラは、コンテナ吊り金物に掛かる荷重に基づいてコンテナの平面重心を求め、前記重心高さを合わせてコンテナ重心の三次元位置を特定して出力することを特徴とする請求項１に記載のトラック積載コンテナの重心計測システム。
【請求項５】
コンテナクレーンにより吊具を介してトラックに積載されるコンテナの重心計測方法であって、
前記コンテナのトラックへの着床時におけるコンテナ挙動の撮像画像を取得し、この撮像画像から前記吊具を含むコンテナ挙動の振動周波数を求め、当該振動周波数に基づいてコンテナの重心高さを求めるようにしたことを特徴とするトラック搭載コンテナの重心計測方法。
【請求項６】
前記重心高さは、予め吊具とコンテナを含む振動体の振動周波数とコンテナ重心高さとの関係を求めたデータベースとの照合処理により求めることを特徴とする請求項５に記載のトラック搭載コンテナの重心計測方法。
【請求項７】
前記コンテナ挙動の撮像画像は、コンテナがトラックに着床したことをトリガーとして取得することを特徴とする請求項５に記載のトラック搭載コンテナの重心計測方法。
【請求項８】
前記吊具におけるコンテナ吊り金物に掛かる荷重を検出することでコンテナの平面重心を求め、前記重心高さを合わせてコンテナ重心の三次元位置を特定して出力することを特徴とする請求項５に記載のトラック搭載コンテナの重心計測方法。
【発明の詳細な説明】
【技術分野】
【０００１】
本発明は、重量物などの重心計測に関するものであり、特にコンテナ荷役に使用されるコンテナクレーンに適用するのに好適なトラック搭載コンテナの重心計測システム及び方法に関する。
【背景技術】
【０００２】
港湾等において荷降ろしされるコンテナは、その重量や内容物に関しては、その情報が提供されている。ただ、重量については計測の義務がないため、正確ではない。一方で、コンテナのバンニング（荷詰め）状態は、運搬に際して問われないため、重心位置に偏りが生じたり、重心位置が高く、不安定な状態となっているものも少なくない。重心が偏移したコンテナを積載したトレーラは旋回時に横転し、重大な事故に繋がるおそれがある。
【０００３】
このため、トレーラの運転手には、少なくとも積載するコンテナの重心位置（特に高さ方向の重心位置）がどのような状態であるのかを認識させておくことが、横転事故を抑制する一助となると考えられている。
【０００４】
このような背景の下、コンテナ等の積荷の重心位置を測定する技術として、特許文献１や特許文献２に開示されているようなものが提案されている。特許文献１に開示されている技術は、コンテナを積載したトレーラをそのまま、計測装置に載せることで、その重量バランスや、車体を揺動させた際の揺れに基づいて、重心位置を算出するというものである。
【０００５】
また、特許文献２に開示されている技術は、クレーンを介してトレーラに荷降ろしする際に、コンテナの重心位置を算出するという技術である。具体的な構成として、特許文献２に開示されている技術では、コンテナを４本の索条（ワイヤ）により吊り上げて移載を行うことが前提とされている。そして、各ワイヤには、荷重センサーと傾斜センサーが設けられている。そして、コンテナを鉛直方向に吊上げた際に各ワイヤに掛かる重量のバランスに基づいて、コンテナの水平方向の重心を算出する。また、コンテナを水平移動させた際に、慣性により生ずるワイヤの傾斜角度とコンテナの重量、およびコンテナの水平方向のバランスに基づいて、コンテナの鉛直方向の重心を求めるというものである。
【０００６】
非特許文献１に記載のものは、トラックスケール上に車両を載せ、実験車両を上方に持ち上げて開放することで生じるローリング周波数を求め、かつコンテナの重心高さとローリング周波数との関係を求めることから重心高さを予測しようとするものである。
非特許文献２には、トラックスケール上にコンテナトラックを載置し、載台を加振して横揺れを発生させてコンテナ内の貨物の重心位置を測定する技術が開示されている。
【先行技術文献】
【特許文献】
【０００７】
【特許文献１】特開２０１２−２５５８号公報
【特許文献２】特開２０１２−３７４６９号公報
【非特許文献】
【０００８】
【非特許文献１】「コンテナの重心位置の高さと車両のローリング周波数の関係に関する考察」（徳島文理大学研究紀要第８２号（２０１１）、横山喬ほか）
【非特許文献２】「コンテナの重心位置計測装置の活用による安全輸送に関する調査研究」（平成２４年３月３１日  海事検定協会）
【発明の概要】
【発明が解決しようとする課題】
【０００９】
上述したように、コンテナがトラックに積載された状態で重心計測する方法として、トラックのローリング挙動や、静止トラックにわざと横力をかけて横揺れ挙動を発生させて、これらの挙動から高さ方向の重心位置を推定しようとする方法が提示されているが、これらの従来技術ではいずれも特別な施設が必要となるという問題があった。
【００１０】
また、従来方法では、特別な施設が必要となるため、本船荷役場所から離れたところに設置せざるを得ず、このため、本船から荷降ろし直後にコンテナ重心高さを知ることができない不便さがあるという問題を抱えていた。
【課題を解決するための手段】
【００１１】
本発明は、上記問題点に着目してなされたもので、特別な計測施設を必要とすることなく、コンテナを本船から荷降ろし直後にトラックに搭載した段階でコンテナ重心位置を把握することができる方法および装置を提供することを目的とする。
【００１２】
上記目的を達成するために、本発明は次のように構成したものである。すなわち、本発明は、コンテナクレーンにより吊具を介してトラックに積載されるコンテナの重心計測システムである。特に、コンテナ高さ方向の重心位置の計測を、コンテナクレーンの構造部に設置のカメラを用いて、吊具上に設置のターゲットマーカーを撮影するようにしている。クレーン状態モニタ装置、制御演算コントローラ、吊荷計測装置（荷重計）を設け、クレーンによりコンテナをトラックに積み込む際（着床時）には、自然に重心回りにトラック横揺れ(ターゲットマークの動揺)挙動が生じることを利用して、このときにクレーン上のカメラにより、コンテナ着床時のトラックの横揺れ挙動（ターゲットマークの動揺）を示す画像を取得し、得られた画像データを基に、制御コントローラを用いてコンテナ重心高さを推定演算し、これを出力するようにした。更に、既存技術である吊具四隅にかかる荷重をコンテナ荷重からコンテナ重量と平面状の重心位置を演算するシステムを組み合わせることにより、コンテナ重量と重心(３次元)のデータを出力することができるようにした。
【００１３】
より具体的には、本発明に係るトラック積載コンテナの重心計測システムは以下のような構成を採用することができる。
すなわち、コンテナクレーンにより吊具を介してトラックに積載されるコンテナの重心計測システムであって、前記コンテナクレーン上に設置されたカメラと、吊具に装着されたターゲットマークと、演算制御コントローラと、を備え、前記演算制御コントローラは、前記コンテナのトラック着床時のカメラによるターゲットマークの挙動を撮影した撮像画像の入力部と、入力した撮像画像から演算した前記ターゲットマークの振動に基づいてコンテナ高さ方向の重心寸法を算出する演算部を備えている、ことを特徴とするトラック積載コンテナの重心計測システム。
【００１４】
また、上記構成に加えて、前記演算制御コントローラは、予め吊具とコンテナとトラックを含む振動体の振動周波数とコンテナ重心高さとの関係を求めたコンテナ挙動データベースを備え、前記演算部は撮像画像から得られた振動周波数との照合処理によりコンテナ重心高さを演算することを特徴とする。
【００１５】
更に、前記コンテナがトラックに着床したことを検出するクレーン状態モニタ装置を備え、前記演算制御コントローラは、前記クレーン状態モニタ装置によるトラック着床信号を入力し、これをトリガー信号として前記ターゲットマークの挙動計測を開始させるようにしてなる構成としてもよい。
【００１６】
加えて、前記吊具に設けられたコンテナ吊り金物の軸重を計測する荷重計を備え、前記演算制御コントローラは、コンテナ吊り金物に掛かる荷重に基づいてコンテナの平面重心を求め、前記重心高さを合わせてコンテナ重心の三次元位置を特定して出力するように構成することもできる。
また、本発明に係るトラック搭載コンテナの重心計測方法は、次のような構成を採用することができる。
【００１７】
コンテナクレーンにより吊具を介してトラックに積載されるコンテナの重心計測方法において、前記コンテナのトラックへの着床時におけるコンテナ挙動の撮像画像を取得し、この撮像画像から前記吊具を含むコンテナ挙動の振動周波数を求め、当該振動周波数に基づいてコンテナの重心高さを求めるようにしたことを特徴とするトラック搭載コンテナの重心計測方法。
この場合において、前記重心高さは、予め吊具とコンテナとトラックを含む振動体の振動周波数とコンテナ重心高さとの関係を求めたデータベースとの照合処理により求めるようにすればよい。
【００１８】
また、前記コンテナ挙動の撮像画像は、コンテナがトラックに着床したことをトリガーとして取得することを特徴とする。
更に、前記吊具におけるコンテナ吊り金物に掛かる荷重を検出することでコンテナの平面重心を求め、前記重心高さを合わせてコンテナ重心の三次元位置を特定して出力するようにすればよい。
【発明の効果】
【００１９】
これにより、本発明では、特別な計測施設を必要とすることなく、また、トラックへの荷積みした段階で重心高さを運転手に伝えることができ安全運転に寄与することができる。
【００２０】
すなわち、第１に、コンテナ高さ方向の重心計測が、コンテナがクレーンによる本船から荷降ろしされ、トラック上に着床した時点で行なえる。このため、別途取得された該当コンテナの情報と、これらコンテナ重心高さ情報とを、リアルタイムに、かつ容易に紐付けすることができる。
【００２１】
第２には、コンテナ高さ方向の重心計測が、クレーンによりトラックに積載された時に、コンテナが走行中のローリング挙動や静止トラックにわざと横力を掛けて横揺れ挙動を発生させる必要性と比べると、本システムはコンテナの重心高さの計測が通常の荷役作業の中で行なわれるため、荷役動線に無駄がなく、荷役効率を高く維持することができる。
【００２２】
第３には、コンテナ高さ方向の重心計測が、クレーンに装備された装置により行なえる。このため、従来の特別に設置されるコンテナ計測施設などを建設する必要性がない。これにより省スペース、省人化の効果がある。
【図面の簡単な説明】
【００２３】
【図１】実施形態に係るシステムの全体構成のブロック図である。
【図２】実施形態に係るシステムを構成する要素の配置図である。
【図３】トラック搭載コンテナの挙動とモデル化を示した図である。
【発明を実施するための形態】
【００２４】
以下に、本発明に係るトラック搭載コンテナの重心計測システム及び方法の具体的実施形態につき、図面を参照しながら詳細に説明する。
本実施形態に係るトラック搭載コンテナの重心計測システムは、図２に示すように、コンテナ輸送船（本船）１０からコンテナクレーン１２によりコンテナ１４を搬出し、地上で待機しているコンテナトラック１６に搭載する場合に適用した構成として示されている。
【００２５】
前記コンテナクレーン１２は、コンテナ吊具１８を用いて吊荷であるコンテナ１４を本船１０からコンテナトラック１６へ積み降ろす。このコンテナクレーン１２には、詳細を図示していないが、主巻ロープ２０を作動させる主巻装置と、この主巻ロープ２０を支持し本船１０と地上側のコンテナトラック１６の上方位置の間を横行するトロリが装備されている。前記トロリから垂下される主巻ロープ２０の下端には、コンテナ１４を掴むコンテナ吊具１８が連結されており、コンテナ１４はコンテナ吊具１８の四隅に設けられた金具（ツイストロック）２２によりコンテナ吊具１８に固定された状態で吊下げられて荷役されるようになっている。コンテナ吊具１８とコンテナ１４とは搬送形態では一体化されている。
【００２６】
上述したコンテナクレーン１２には、クレーン状態モニタ装置２４(図１参照)が例えばクレーン機械室（図示せず)に搭載されている。これは、主巻用ロープ張力を計測するセンサー、クレーンの主巻、横行の状態（位置、動作速度、ブレーキ作動状態）、コンテナサイズのセット値、コンテナ掴み検出センサー、コンテナ着床センサーから得られるクレーンステータスデータを入力・計測するものである。
【００２７】
また、上述したコンテナクレーン１２には、１台または複数台のカメラ２６が装備され、更にコンテナ吊具１８の外側面に１個または複数個のターゲットマーク２８が装着されている。基本的には、コンテナ吊具１８の後面部の中央にターゲットマーク２８を配置し、カメラ２６はコンテナトラック１６にコンテナ１４が搭載された状態のときに、トラック後方からターゲットマーク２８を撮影するように配置されている。このカメラ２６は動画撮影が可能とされ、トラック後方からターゲットマーク２８を撮影することにより、コンテナ１４の挙動（基本的にはローリング挙動）を観測できるようになっている。カメラ２６はコンテナ１４の側面側を撮影するようにしてもよく、この場合はターゲットマーク２８をコンテナ吊具１８の側面側の中央部に取り付け設定すればよい。この場合には、トラック搭載コンテナ１４のピッチング挙動が観測できる。このカメラ２６は、図１に示した演算制御コントローラ３０にデータ接続されている。これにより撮影された画像は、演算制御コントローラ３０に入力され、画像データとして取り込まれて処理されるようになっている。
【００２８】
更に、このシステムには、吊荷計測装置３２が装備されている。この吊荷計測装置３２は、コンテナ吊具１８の四隅に設けられたツイストロック２２の各々に設置された荷重計測センサー（図示せず)から検出される軸重データが入力され、使用しているコンテナ吊具１８と吊下げているコンテナ１４の寸法データを基に、コンテナ水平面（Ｘ−Ｙ平面）における重心位置（Ｇｘｙ）を算出し、これを後述するコンテナ挙動データベース３４に出力するようにしている。
【００２９】
上述したカメラ２６、クレーン状態モニタ装置２４、及び吊荷計測装置３２は演算制御コントローラ３０に接続されているが、図１に示されているように、この演算制御コントローラ３０には、前記カメラ２６により撮影された画像を入力するコンテナ挙動解析モジュール３６が設けられている。このモジュール３６には、更に、クレーン状態モニタ装置２４からコンテナトラック１６へのコンテナ着床信号が入力され、この着床信号をトリガー信号として、カメラ２６による撮影画像を取り込み開始し、画像処理によってターゲットマーク２８の振動周波数を求めるようにしている。
【００３０】
コンテナ１４をコンテナクレーン１２によりコンテナ吊具１８を介して搬送し、コンテナトラック１６に搭載すると、搭載した直後は、コンテナトラック１６の後方から観察するとローリング振動する。このローリング振動の周波数を求めるようにしているのである。これはターゲットマーク２８の周期的運動を計測することによって算出することができる。
【００３１】
ところで、コンテナトラック１６にコンテナ吊具１８ともどもコンテナ１４に搭載することで生じるローリング振動をコンテナトラック１６の背後から観察すると、コンテナ１４の重心高さ位置によって振動周波数が異なり、倒立振り子を等価モデルと看做すことができる。このような等価モデルでは、重心位置が高いと低い周波数で、重心位置が低いと高い周波数で振動する。したがって、振動周波数と重心高さとは相関があるので、予め、これをデータベースとして持っておくことで、画像から求められた周波数をデータベースと照合することによって、重心高さ（Ｇｚ）を推定することができる。このことは、コンテナトラック１６の側面から観察した場合のピッチング運動でも同様である。
【００３２】
このようなことから、実施例に係る重心計測システムの演算制御コントローラ３０には、コンテナ挙動データベース３４が装備されている。このコンテナ挙動データベース３４には、使用するコンテナ吊具１８やコンテナ１４、コンテナトラック１６のタイプ別に、コンテナ１４の重心高さの変化に伴う振動周波数を予めシミュレーションや実験等で求めておき、振動周波数に対応するコンテナ重心高さを直接読み取れるデータ列として記録保持されている。
【００３３】
上記コンテナ挙動データベース３４には、クレーン状態モニタ装置２４から現用のコンテナクレーン１２に使用されているコンテナ吊具１８や、搬送しているコンテナ１４の状態を示すデータが出力され、搬送しているコンテナ１４に相応する振動周波数と重心高さの関係表を照合選択できるようにしている。この照合結果によって選択されたデータ列は図１に示しているコンテナ重心高さ推定演算部３８に出力される。
【００３４】
また、コンテナ挙動解析モジュール３６には、前述したように、前記クレーン状態モニタ装置２４から、コンテナ１４がコンテナトラック１６に着床したことを知らせる信号を出力するようにしている。これは、クレーン状態モニタ装置２４で計測されているワイヤ張力やツイストロック２２による検出荷重が「０」若しくは急激に減少したことなど、コンテナ１４が着床したことに伴う何らかの信号を取り出し、これをトリガー信号としてコンテナ挙動解析モジュール３６に出力する。このトリガー信号を入力したコンテナ挙動解析モジュール３６は、カメラ２６から入力している撮像画像を取り込んで画像解析を行ない、ターゲットマーク２８の挙動解析に入り、ターゲットマーク２８の振動周波数をＦＦＴなどを利用して求めるようにしている。これによって求められた振動周波数は、コンテナ重心高さ推定演算部３８に出力され、ここで、前記現用設備（吊具、コンテナ）に対応する対応データベースがコンテナ挙動データベース３４から出力されているので、求めた振動周波数に対応する重心高さ（Ｇｚ）を照合選択し、コンテナ高さ方向の重心寸法として演算制御コントローラ３０からの出力とするものとしている。
【００３５】
また、求められたコンテナ重心高さ（Ｇｚ）とともに、前述した吊荷計測装置３２によって算出されている平面重心位置（Ｇｘｙ）とあわせ、三次元の重心位置を出力することができるようにしている。
【００３６】
なお、演算制御コントローラ３０には、トラック・吊具データベース４０が設けられており、このデータはコンテナ挙動データベース３４に取り込まれ、使用されるコンテナトラック１６の種別、コンテナ吊具１８の種別による振動周波数・周波数との関係を示すデータが作成されている。
【００３７】
このように構成されたトラック搭載コンテナの重心計測システムを用いた計測方法は次のように行なわれる。
コンテナクレーン１２がコンテナ吊具１８を用いてコンテナ１４を本船１０からコンテナトラック１６に積み降ろす際、コンテナ１４が地上のコンテナトラック１６に着床した直後に、コンテナ（及び吊具の一体構造）１４はその重心位置に起因して横揺れ挙動が生じ、これをコンテナクレーン１２に搭載したカメラ２６により撮影し観測することができる。
【００３８】
上記コンテナクレーン１２では、コンテナ吊具１８の四隅に設けられた金物（ツイストロック）２２にそれぞれ荷重計測センサー（図示せず）を設置して、コンテナ吊下げ時に四隅の重量を計測する。これにより「コンテナ水平面の重心」と、「コンテナ重量」を演算し、コンテナ挙動データベース３４に出力する。また、ロープ張力計測センサーにより、コンテナ着床時の状態計測を行い、「コンテナ着床検出」をトリガー信号として出力する。なお、コンテナの着床検出はコンテナ着床センサーを使っても行なえる。更に、クレーン上における主巻、横行の状態（位置、動作速度、ブレーキ作動状況）をモニタすることにより、コンテナがトラック上にあることが確認できる。
【００３９】
前記コンテナクレーン１２に装備されたカメラ２６によりトラック積載コンテナ１４を撮像するが、コンテナ吊具１８上にはターゲットマーク２８が設けられているので、これをカメラ視野に入れて観測するようになっている。したがって、カメラ２６は予め地上のコンテナトラック１６を捉え、コンテナ１４の着床時のコンテナ吊具１８の映像（カメラ２６によりターゲットマーク２８が計測視野に入っている映像）が視野に入るように配置しておく。コンテナ着床時をトリガーとしたターゲットマーク２８の挙動を撮影し収録する。コンテナクレーン１２上における主巻、横行の状態（位置、動作速度、ブレーキ作動状況）をモニタすることにより、コンテナがトラック上にあることを確認できる。
【００４０】
収録されたターゲットマーク画像データを演算制御コントローラ３０に取り込む。これをコンテナ挙動解析モジュール３６により画像解析し、コンテナ挙動データとして振動周波数を出力する。
【００４１】
演算制御コントローラ３０は、カメラ２６からターゲットマーク２８の画像データ、クレーン状態モニタ装置２４から「クレーンステータスデータ」と、「トリガー信号」、吊荷計測装置３２から「コンテナ重量」と「水平面重心位置データ」を入力し、最終的に「コンテナ高さ方向の重心寸法」を出力するものとなっている。
【００４２】
演算制御コントローラ３０は、前述したように、コンテナ挙動データベース３４と、コンテナ挙動解析モジュール３６と、コンテナ重心高さ推定演算部３８と、トラック・吊具データベース４０とを具備している。
【００４３】
コンテナ挙動データベース３４は、吊具重量および重心位置（既知情報）、コンテナ重量（変数)、コンテナ高さ方向の重心寸法（変数)、コンテナ挙動（実際はターゲットマークの挙動を照準）、の関係の様々なデータを集積したもの（データベース)で、必要なデータ、すなわち、クレーン状態モニタ装置２４によって得られたコンテナクレーン１２の状態を示すデータや、トラック・吊具データベース４０から得られたデータに基づいて構築されている振動周波数と重心高さの相関データから現用設備に対応する必要なデータを選択してコンテナ重心高さ演算部３８に出力する。このデータベースは、実験や過去の実績や、演算、シミュレーションなどによる知識データベースである。
【００４４】
一方、コンテナ挙動解析モジュール３６では、「ターゲットマーク画像データ」と、「トリガー信号」を入力し、「コンテナ挙動データ」を出力する。トリガー信号直後のターゲットマークの横揺れ挙動を計測した画像データを画像解析してターゲットマークの振動挙動（周波数）をデータ化している。この解析データは前述のコンテナ挙動データベース３４から選択されたデータと共にコンテナ重心高さ推定演算部３８に出力される。
【００４５】
コンテナ重心高さ推定演算部３８は、コンテナ挙動解析モジュール３６により得られた振動周波数をコンテナ挙動データベース３４から出力されているデータと照合し、コンテナトラック１６に搭載されている未知のコンテナの高さ方向の重心寸法Gzを演算し出力する。
【００４６】
また、コンテナ重心高さ推定演算部３８は、吊荷計測装置３２で得られたコンテナ重量及び水平面重心位置Ｇｘｙを、コンテナ高さ方向の重心寸法Ｇｚと合わせることによりコンテナ重量と重心（３次元）データを出力できる。
【００４７】
このように、本実施形態では、コンテナクレーン１２により本船１０からコンテナ１４を搬送し、コンテナトラック１６に積載したときに生じるコンテナ挙動からその重心高さを出力することができるので、コンテナ搭載直後には運転手にコンテナ重心高さを含む情報を伝えることができる。これにより、特別な計測施設を設けることなく、コンテナ搭載直後にトラックによる安全走行ができるための情報を運転手が知ることができるという効果が発揮される。
【産業上の利用可能性】
【００４８】
コンテナをトラック積載するクレーン設備に利用し、コンテナ輸送時の安全運行業務に適用できる。
【符号の説明】
【００４９】
１０………コンテナ輸送船、１２………コンテナクレーン、１４………コンテナ、１６………コンテナトラック、１８………コンテナ吊具、２０………主巻ロープ、２２………ツイストロック、２４………クレーン状態モニタ装置、２６………カメラ、２８………ターゲットマーク、３０………演算制御コントローラ、３２………吊荷計測装置、３４………コンテナ挙動データベース、３６………コンテナ挙動解析モジュール、３８………コンテナ重心高さ推定演算部、４０………トラック・吊具データベース。
【図１】
2014174021.tif 000003
【図２】
2014174021.tif 000004
【図３】
2014174021.tif 000005